(57)【要約】【課題】切換型の接点装置を用いる場合においても操作ハンドルの表示位置と操作方向とを一致させて操作性を向上する。【解決手段】ハンドルブロック２がスイッチ本体１に取り付けられた状態では、２つの位置表示灯７１ａ，７１ｂが接点装置３０Ａと３０Ｂ及び３０Ａと３０Ｃの間にそれぞれ接続される。故に照明負荷の消灯時において常に操作ハンドル６０（ハンドルブロック２）の両端部のうちで前方に位置する側の端部（次に操作される側の端部）に設けられている表示部９２の表示面のみから位置表示灯７１ａ又は７１ｂの光が出射されるため、操作ハンドル６０の表示位置と操作方向とを完全に一致させることができ、従来例に比較して操作性の向上が図れる。【選択図】        図１
2006294562.tif 000002
【特許請求の範囲】
【請求項１】
切換型の接点装置が器体に収納されたスイッチ本体と、スイッチ本体に設けられ接点装置の切換接点間に生じる電圧で択一的に発光する２つの発光源と、少なくとも短幅方向の寸法がスイッチ本体の前面と略同一若しくは大型であって略中央を支点としてスイッチ本体の前面側に揺動自在に配設された操作ハンドルとを備え、操作ハンドルは、揺動方向における一端部に、一方の発光源が発する光を外部へ出射する第１の表示部が設けられ、揺動方向における他端部に、他方の発光源が発する光を外部へ出射する第２の表示部が設けられたことを特徴とする表示付きスイッチ。
【請求項２】
第１及び第２の表示部は、操作ハンドルの両端部における前面に設けられたことを特徴とする請求項１記載の表示付きスイッチ。
【請求項３】
操作ハンドルの両端部にそれぞれ発光源が配設されたことを特徴とする請求項１又は２記載の表示付きスイッチ。
【請求項４】
器体に揺動自在に枢支されるとともに操作ハンドルの操作に連動して接点装置を切り換える反転ハンドルを備え、操作ハンドルの背面側に反転ハンドルと結合する結合部が設けられ、操作ハンドルを反転ハンドルに結合した状態で接点装置の切換接点と２つの発光源とを電気的に接続する接続手段を備えたことを特徴とする請求項３記載の表示付きスイッチ。
【発明の詳細な説明】
【技術分野】
【０００１】
本発明は、操作部分の位置を表示する機能を有した表示付きスイッチに関するものである。
【背景技術】
【０００２】
従来、電路の電圧で点灯することにより操作部分の位置を表示する表示部を備えたスイッチ（表示付きスイッチ）が提供されている。図１２は特許文献１に開示されている表示付きスイッチ２００の正面図である。この表示付きスイッチ２００は、接点装置並びに発光源（例えば、ネオンランプ）が収納された器体２０１と、器体２０１に揺動自在に枢支された形で装着され接点装置を開閉する反転ハンドルと、反転ハンドルの前面を覆い反転ハンドルに結合される平面視矩形状の操作ハンドル２０２とを備え、操作ハンドル２０２を相反する２方向へ操作することにより反転ハンドルを介して接点装置を開閉するスイッチ（タンブラスイッチ）であって、操作ハンドル２０２を器体２０１前面よりも大きくすることで操作性を向上したスイッチ（この種のスイッチは、一般に「ワイドハンドル形スイッチ」と呼ばれる。）として構成されている。操作ハンドル２０２前面における左右両端部の一方（図示例では右側端部）には発光源の発する光を前方へ照射することで操作ハンドル２０２の操作部位を表示する表示部２０３が設けられており、電源から負荷への給電が行われていないときに器体２０１に収納されている発光源が発光して表示部２０３による表示が行われる。
【特許文献１】特開２００３−１５１４０２号公報
【発明の開示】
【発明が解決しようとする課題】
【０００３】
ところで、上記従来例において、接点装置が単極単投若しくは２極単投型の接点構成を有する単極スイッチ又は２極スイッチとして構成されている場合、負荷の動作状態と操作ハンドル２０２の操作状態とが一義的に決まるから、表示部２０３による表示が行われている側で操作ハンドル２０２の端部を押操作すれば負荷の動作状態を切り換えることができ、表示部２０３による表示と操作ハンドル２０２の操作方向とを常に一致させることが可能である。しかしながら、接点装置が切換型（単極切換型若しくは２極切換型）の接点構成を有する３路スイッチ又は４路スイッチとして構成されている場合では、負荷の動作状態と操作ハンドル２０２の操作状態とが一義的に決まらないから、表示部２０３による表示と操作ハンドル２０２の操作方向とが一致しない状況が生じる。特に、ワイドハンドル形スイッチの場合、操作ハンドル２０２を大型化しているために表示部２０３が設けられている側の端部と表示部２０３が設けられていない側の端部との距離も大きくなっているから、表示部２０３による表示と操作ハンドル２０２の操作方向とが一致しないことによって操作性が損なわれやすい。
【０００４】
本発明は上記事情に鑑みて為されたものであり、その目的は、切換型の接点装置を用いる場合においても操作ハンドルの表示位置と操作方向とを一致させて操作性を向上した表示付きスイッチを提供することにある。
【課題を解決するための手段】
【０００５】
請求項１の発明は、上記目的を達成するために、切換型の接点装置が器体に収納されたスイッチ本体と、スイッチ本体に設けられ接点装置の切換接点間に生じる電圧で択一的に発光する２つの発光源と、少なくとも短幅方向の寸法がスイッチ本体の前面と略同一若しくは大型であって略中央を支点としてスイッチ本体の前面側に揺動自在に配設された操作ハンドルとを備え、操作ハンドルは、揺動方向における一端部に、一方の発光源が発する光を外部へ出射する第１の表示部が設けられ、揺動方向における他端部に、他方の発光源が発する光を外部へ出射する第２の表示部が設けられたことを特徴とする。
【０００６】
この発明によれば、電源から負荷への給電が停止しているときに２つの発光源が択一的に発光し、その光は操作ハンドルの揺動する両端部に設けられた２つの表示部の一方から出射されて表示が行われることとなり、しかも、２つの表示部のうちで次に操作される側の端部に設けられている表示部のみから発光源の光が出射されるため、切換型の接点装置を用いる場合においても操作ハンドルの表示位置と操作方向とを完全に一致させて操作性が向上する。
【０００７】
請求項２の発明は、請求項１の発明において、第１及び第２の表示部は、操作ハンドルの両端部における前面に設けられたことを特徴とする。
【０００８】
この発明によれば、表示部の視認性が向上する。
【０００９】
請求項３の発明は、請求項１又は２の発明において、操作ハンドルの両端部にそれぞれ発光源が配設されたことを特徴とする。
【００１０】
この発明によれば、２つの光源がスイッチ本体に配設される場合に比較して表示部から出射される光量を増大して視認性が向上できる。
【００１１】
請求項４の発明は、請求項３の発明において、器体に揺動自在に枢支されるとともに操作ハンドルの操作に連動して接点装置を切り換える反転ハンドルを備え、操作ハンドルの背面側に反転ハンドルと結合する結合部が設けられ、操作ハンドルを反転ハンドルに結合した状態で接点装置の切換接点と２つの発光源とを電気的に接続する接続手段を備えたことを特徴とする。
【００１２】
この発明によれば、寸法が異なる操作ハンドルを付け替えて使用することができる。
【発明の効果】
【００１３】
本発明によれば、電源から負荷への給電が停止しているときに２つの発光源が択一的に発光し、その光は操作ハンドルの揺動する両端部に設けられた２つの表示部の一方から出射されて表示が行われることとなり、しかも、２つの表示部のうちで次に操作される側の端部に設けられている表示部のみから発光源の光が出射されるため、切換型の接点装置を用いる場合においても操作ハンドルの表示位置と操作方向とを完全に一致させて操作性が向上するという効果がある。
【発明を実施するための最良の形態】
【００１４】
以下、本発明の技術思想を、ワイドハンドル形スイッチであり且つ接点装置が単極切換型の接点構成を有する３路スイッチ（タンブラスイッチ）に適用した実施形態について説明する。
【００１５】
（実施形態１）
図１〜図４を参照して本発明の実施形態１を詳細に説明する。
【００１６】
本実施形態の表示付きスイッチはスイッチ本体１とハンドルブロック２とで構成され、施工面に設けられる埋込孔（図示せず）にスイッチ本体１の後端部を埋め込む形でプレート枠１０１と化粧プレート１１０からなるプレート１００により埋込配設される。
【００１７】
スイッチ本体１は、前面（図１における上面）が開口した直方体状の合成樹脂成形品のボディ１０と、矩形枠状に形成されボディ１０の前面側に結合される合成樹脂成形品のカバー２０とにより構成される器体を備える。ボディ１０の長手方向に沿った両外側面にはボディ１０の長手方向に離間して各一対の組立突起１１が突設され、カバー２０の後端縁からは組立舌片２１が後方（図１における下方）に延設され、組立舌片２１に設けた組立孔２１ａに組立突起１１が係合することによってボディ１０とカバー２０とが結合される。
【００１８】
ボディ１０には、ボディ１０の後壁に設けた電線挿入孔１２を通して器体に挿入される電線（図示せず）を接続する３個の端子装置３０Ａ，３０Ｂ，３０Ｃと、端子装置３０Ａと端子装置３０Ｂ，３０Ｃとの間の電路を開閉する接点装置４０とが収納される（図３参照）。一方、カバー２０の中央部の開口窓２２には合成樹脂成形品の反転ハンドル５０がカバー２０に対して揺動自在に枢支された形で装着され、この反転ハンドル５０の揺動に伴って接点装置４０が開閉される。反転ハンドル５０の前面側にはカバー２０の前面に重複する合成樹脂成形品の操作ハンドル６０（ハンドルブロック２）が着脱自在に結合され、操作ハンドル６０を操作部として揺動させることにより、反転ハンドル５０が揺動して接点装置４０が開閉されるようにしてある。
【００１９】
ボディ１０の内側面には、端子装置３０Ａ，３０Ｂ，３０Ｃおよび接点装置４０を位置決めするための保持リブ１３および保持溝１４がそれぞれ複数形成されている。端子装置３０Ａはボディ１０の長手方向の一端部内に配置され、端子装置３０Ｂ，３０Ｃはボディ１０の長手方向の他端部内に配置され、接点装置４０はボディ１０の長手方向の中央部内に配置される。
【００２０】
端子装置３０Ａは、導電性の金属板により形成された端子板３２と、２個の鎖錠ばね３３と、２個の鎖錠ばね３３に当接する合成樹脂成形品の解除釦３４とを備える。端子板３２は、主片３２ａおよび主片３２ａに対向する当接片３２ｂの前端縁間を連結片３２ｃで連続一体に連結することで略コ字状に形成され、連結片３２ｃをボディ１０の開口面に沿わせるようにしてボディ１０内に収納される。また鎖錠ばね３３は主片３２ａと当接片３２ｂとの間に収納される。端子板３２には当接片３２ｂの後端縁からボディ１０の長手方向の中央部に向かってボディ１０の内底面に沿う形で支持片３２ｄが延設され、支持片３２ｄの先端部にはへ字状に屈曲されて前方に突出する支点突部３２ｅが形成されている（図３参照）。
【００２１】
端子装置３０Ｂ，３０Ｃはそれぞれ端子板４５，４６を備え、各端子板４５，４６には、器体に設けた電線挿入孔１２を通して器体に導入された電線が接触する主片４５ａ，４６ａと、それぞれボディ１０に設けた保持リブ１３に当接する当接片４５ｂ，４６ｂと、主片４５ａ，４６ａと当接片４５ｂ，４６ｂとの間を連結する連結片４５ｃ，４６ｃと、連結片４５ｃ，４６ｃから連続一体に延長され先端部にそれぞれ固定接点４１ａ，４１ｂを設けた接点保持片４５ｄ，４６ｄとが設けられる。両端子装置３０Ｂ，３０Ｃの接点保持片４５ｄ，４６ｄの先端部が器体の中央部で互いに対向するように配置され、固定接点４１ａ，４１ｂ同士が器体の中央部で互いに対向する。
【００２２】
端子装置３０Ｂ，３０Ｃはボディ１０の長手方向における同じ側（図３における左側）に配置されており、各端子板４５，４６の主片４５ａ，４６ａと当接片４５ｂ，４６ｂとの間にはそれぞれ１個ずつの鎖錠ばね３３が収納され、さらに、両端子板４５，４６の鎖錠ばね３３の間に１つの解除釦３４が配置される。
【００２３】
鎖錠ばね３３は、帯状の板ばねの一端部をＳ字状に曲成して接触片３３ａを形成し、他端部をＪ字状に曲成して鎖錠片３３ｂを形成し、接触片３３ａと鎖錠片３３ｂとの間を接続片３３ｃにより連続一体に連結した形状に形成される。また、接触片３３ａおよび鎖錠片３３ｂは接続片３３ｃに対して厚み方向の同じ側に突出する。鎖錠ばね３３を端子板３２，４５，４６の主片３２ａ，４５ａ，４６ａと当接片３２ｂ，４５ｂ，４６ｂとの間に装着するに際しては、接続片３３ｃを当接片３２ｂ，４５ｂ，４６ｂに当接させる形で接触片３３ａおよび鎖錠片３３ｂを主片３２ａ，４５ａ，４６ａに対向させる。ここに、接触片３３ａおよび鎖錠片３３ｂの先端部は、先端側ほど接続片３３ｃから離れる向きに傾斜し、且つ互いに略平行になるように延長されている。また、接触片３３ａおよび鎖錠片３３ｂの先端部は、先端側ほど連結片３２ｃ，４５ｃ，４６ｃとの距離を小さくするように配置される。
【００２４】
上述した電線挿入孔１２は、端子板３２，４５，４６の主片３２ａ，４５ａ，４６ａと接触片３３ａおよび鎖錠片３３ｂとの間に対応する部位に形成され、電線挿入孔１２を通してスイッチ本体１の器体内に電線を挿入すると、電線の先端部が主片３２ａ，４５ａ，４６ａと接触片３３ａおよび鎖錠片３３ｂとの間に挟持され、電線が主片３２ａ，４５ａ，４６ａに接触して端子装置３０Ａ，３０Ｂ，３０Ｃと電線とが電気的に接続されるとともに、鎖錠片３３ｂの先端縁が電線に食い込むことによって電線が器体から抜けないように機械的に保持される。なお、ボディ１０の後壁には解除釦３４に対応する部位に操作孔１５が貫設されており、上述のようにして端子装置３０Ａ，３０Ｂ，３０Ｃに電線を接続した状態で操作孔１５に工具を挿入して解除釦３４を押圧すれば、解除釦３４に設けた押し片（図示せず）が鎖錠片３３ｂを押圧して電線から離れる向きに撓ませることにより、電線の機械的保持が解除されて電線を器体から引き抜くことが可能になる。
【００２５】
接点装置４０は、前方に開放されたコ字状に形成されて支点突部３２ｅの先端に後端部が当接するように配置された開閉素子４３を備えている。開閉素子４３は両脚片先端付近にそれぞれ可動接点４２ａ，４２ｂが外向きに設けられ、支点突部３２ｅの先端付近を支点として回動することで各固定接点４１ａ，４１ｂに各可動接点４２ａ，４２ｂが選択的に接触するようにしてある。つまり、固定接点４１ａに可動接点４２ａが接触している間は可動接点４２ｂは固定接点４１ｂから離れ、固定接点４１ｂに可動接点４２ｂが接触している間は可動接点４２ａは固定接点４１ａから離れる。開閉素子４３の両脚片間にはコイルばねからなる反転ばね４４の一端部が挿入され、反転ばね４４の他端部が反転ハンドル５０の背面側に設けた筒部５４の保持孔５４ａに挿入されることで開閉素子４３と反転ハンドル５０との間に反転ばね４４が圧縮状態で保持される。
【００２６】
反転ハンドル５０は、全体が矩形箱形の合成樹脂成型品からなり、長手方向に沿った両側面には前端部が先細りとなる形状の支点突起５１がそれぞれ側方へ突設されている。一方、カバー２０の長手方向の中央部であって幅方向（短手方向）の両側部には開口窓２２の周縁から前方に突出する一対の軸受突片２３が突設され、両軸受突片２３の対向面には反転ハンドル５０の支点突起５１が挿入される軸受凹所２４が形成される。軸受凹所２４は少なくとも前端部において支点突起５１を揺動可能に枢支する。反転ハンドル５０の前面には収納凹所５２が設けられ、後述する位置表示灯７１ａ，７１ｂを点灯するための導電路を実装した回路基板７０が収納される。さらに反転ハンドル５０の長手方向の両端面にはハンドルブロック２を結合するための結合爪５３がそれぞれ突設される。
【００２７】
なお、カバー２０の長手方向に対向する両側面に各一対の取付爪２６が突設される。取付爪２６はプレート枠１０１に設けた取付孔１０２に係合することによってスイッチ本体１をプレート枠１０１に保持させる機能を有している。但し、カバー２０の一方の側面においては、一対の溝２０ａによって取付爪２６が突設された部位を弾性的に撓み可能としており、この部位を撓ませることで取付爪２６と取付孔１０２との係合を解除してスイッチ本体１をプレート枠１０１から取り外せるようにしてある。
【００２８】
反転ハンドル５０前面の収納凹所５２に収納される回路基板７０は、中央に円形の圧入孔７０ａが貫通した矩形平板状に形成されるとともに表面には導電パターン７０ｃが印刷されている。帯板状の金属板の先端部が略直角に折り曲げられてＬ字形に形成されたランプ接触端子７３ａ，７３ｂ，７３ｃ並びに共通接触端子７３ｄが表面から立ち上がるように回路基板７０に実装され、２つのランプ接触端子７３ａ，７３ｂが導電パターン７０ｃ並びに抵抗素子７２ａを介して電気的に接続され、残り１つのランプ接触端子７３ｃと共通接触端子７３ｄとが導電パターン７０ｃ並びに抵抗素子７２ｂを介して電気的に接続されている。さらに、回路基板７０の両端部には固定溝７０ｂがそれぞれ設けられ、これら２つの固定溝７０ｂには接触子４７の一端部がそれぞれ圧入固定されている。２つの接触子４７は何れも帯状の金属板からなり、固定溝７０ｂに圧入固定された部位よりも先端側で回路基板７０の導電パターン７０ｃと電気的に接続されている。収納凹所５２底面の中央には前方に向かって筒部５４が突出しており、この筒部５４を圧入孔７０ａに圧入することで収納凹所５２内に回路基板７０が固定されるようにしてある。ここで、収納凹所５２底面には回路基板７０に一端部が固定された接触子４７を挿通する挿通孔（図示せず）が設けられており、この挿通孔に挿通した接触子４７の先端部が端子装置３０Ｂ，３０Ｃを構成する端子板４５，４６の連結片４５ｃ，４６ｃに前方から弾接するようになっている（図３参照）。また、収納凹所５２と保持孔５４ａとに連通する溝（図示せず）が筒部５４に設けられ、この溝を通して共通接触端子７３ｄの先端が反転ばね４４に当接させてあって、反転ばね４４並びに開閉素子４３を介して共通接触端子７３ｄが端子装置３０Ａと導通している。この種の３路スイッチは照明負荷を２箇所から点灯・消灯するような用途に用いられることが多く、各箇所にそれぞれ３路スイッチを配置して照明負荷の点灯・消灯をいずれの箇所においても操作可能とすることができる。
【００２９】
反転ハンドル５０の収納凹所５２は、合成樹脂成型品からなる保護カバー８０によって前方から閉塞される。この保護カバー８０は背面が開放された矩形箱状に形成され、長手方向両側面より突設された係止爪８１を反転ハンドル５０の両側面に設けられた係止部５６に係止することで反転ハンドル５０に固定される（図３参照）。保護カバー８０の前面（図１及び図３における上面）には、後述するリード板９３，９３，９４がそれぞれ挿通される３つの挿通溝８２が長手方向に並設されている。
【００３０】
ハンドルブロック２は、スイッチ本体１の前面よりも大型の矩形に形成された操作ハンドル６０と、２つの位置表示灯７１ａ，７１ｂと、操作ハンドル６０の背面側に結合されて２つの位置表示灯７１ａ，７１ｂを保持するランプ保持体９０と、位置表示灯７１ａ，７１ｂを端子装置３０Ａ，３０Ｂ，３０Ｃと電気的に接続するためのリード板９３，９３，９４とで構成される。操作ハンドル６０は、前面が前方に凸となる緩やかな曲面形状に形成された主部６１と、主部６１の長手方向に沿った両側縁より後方へ垂下された一対の側壁６２と、反転ハンドル５０に結合するための係合突片６３と、主部６１の四隅並びに中央端部より後方へ突設された６つの固定リブ６４とを備える。主部６１前面の長手方向に沿った両端部中央には、操作ハンドル６０の操作位置を表す円筒形の突起６１ａが突設されている。係合突片６３は、主部６１背面の長手方向両端部に各々３つずつ列設されており、反転ハンドル５０に設けた結合爪５３に係合する係合爪６３ａが後方へ突出する先端部に設けられている（図４参照）。
【００３１】
ランプ保持体９０は透明合成樹脂の成型品であって、操作ハンドル６０の内側に収納固定される矩形板状の保持部９１と、保持部９１の両端に設けられ、操作ハンドル６０の長手方向に対向する両側面を塞ぐように配置されてネオンランプからなる位置表示灯７１ａ，７１ｂの光を各々外部へ出射する２つの表示部９２とを具備する。保持部９１は、表示部９２と隣接する両端部に位置表示灯７１ａ，７１ｂを収納保持するための凹部９１ａがそれぞれ設けられ、中央部にはリード板９３，９３，９４をそれぞれ支持するための３つの支持溝９１ｂが設けられている。２つのリード板９３，９３は互いに鏡像の関係にあり、両端の支持溝９１ｂにそれぞれ圧入される支持片９３ａと、支持片９３ａの一端側から支持片９３ａの厚み方向に延設された平面視略鈎形の接続片９３ｂとが金属板を加工することで一体に形成されている。またリード板９４は中央の支持溝９１ｂに圧入される支持片９４ａと、支持片９４ａの一端側から支持片９４ａの厚み方向に延設された平面視略Ｔ字形の接続片９４ｂとが金属板を加工することで一体に形成されている。
【００３２】
而して、一方の位置表示灯７１ａの２つの端子を一方のリード板９３の接続片９３ｂ及びリード板９４の接続片９４ｂにそれぞれ接続し、他方の位置表示灯７１ｂの２つの端子を他方のリード板９３の接続片７１ｂ及びリード板９４の接続片９４ｂにそれぞれ接続するとともに、３つのリード板９３，９３，９４の支持片９３ａ，９３ａ，９４ａをそれぞれランプ保持体９０の支持溝９１ｂに挿入した後、保持部９１に設けられている６つの貫通孔９１ｃにそれぞれ挿通した固定リブ６４の先端をかしめることにより、位置表示灯７１ａ，７１ｂ並びにリード板９３，９３，９４を保持したランプ保持体９０を操作ハンドル６０に固定してハンドルブロック２が構成される。なお、操作ハンドル６０の背面から突出する合計６つの係合突片６３は、保持部９１を貫通する矩形の挿通孔９１ｄを通してランプ保持体９０の後方へ突出させている。
【００３３】
上述のように構成されるハンドルブロック２は、操作ハンドル６０の両端部よりそれぞれ後方へ突設された各３つの係合突片６３の何れか１つの先端に設けられた係合爪６３ａを反転ハンドル５０の結合爪５３に係合することで反転ハンドル５０の前面側に結合される。ハンドルブロック２をスイッチ本体１に取り付けると、保護カバー８０に設けられた挿通溝８２を通してリード板９３，９３，９４の支持片９３ａ，９３ａ，９４ａの後端部がそれぞれランプ接触端子７３ａ，７３ｂ，７３ｃに弾接して導通する（図３参照）。このため、端子装置３０Ａと３０Ｂとの間に抵抗素子７２ａを介して一方の位置表示灯７１ａが接続され、端子装置３０Ａと３０Ｃとの間に抵抗素子７２ａを介して他方の位置表示灯７１ｂが接続されるとともに、端子装置３０Ｂと３０Ｃとが抵抗素子７２ｂを介して接続されることとなり、照明負荷の消灯時に何れか一方の位置表示灯７１ａ，７１ｂが択一的に点灯することになる。
【００３４】
ここで、プレート枠１０１には３組の取付孔１０２が設けられており、最大で３個のスイッチ本体１を短幅方向に並べて取り付けることができるから（図２参照）、中央の取付孔１０２に取り付けられるスイッチ本体１に対しては中央の係合突片６３の係合爪６３ａを用い、両端の取付孔１０２に取り付けられるスイッチ本体１に対しては何れか一方の端の係合突片６３の係合爪６３ａを用いることでスイッチ本体１の短幅方向でハンドルブロック２の取付位置をずらすようにしている（図２参照）。このような構成とすれば、プレート枠１０１に対するスイッチ本体１の取付位置に応じて３種類のハンドルブロック２を用意する必要がなく、スイッチ本体１の取付位置にかかわらず共通のハンドルブロック２を用いることができて施工性が向上するという利点がある。
【００３５】
而して、上述のように構成される本実施形態の動作を簡単に説明すれば、図３のように操作ハンドル６０（ハンドルブロック２）の右端部が左端部よりも後方（図の下方）に位置するときには可動接点４２ｂが固定接点４１ｂに接触し、この状態では反転ばね４４は中間部が両端部に対して左側に屈曲した状態になり、反転ばね４４によって可動接点４２ｂが固定接点４１ｂに押圧されて接点圧が付与される。一方、この状態から操作ハンドル６０の左端部を後方に押すと反転ハンドル５０が図中反時計回りに揺動するから、反転ばね４４は中間部が両端部に対して右側に屈曲した状態へ移行し、このとき開閉素子４３を図中時計回りに回動して可動接点４２ｂを固定接点４１ｂから引き離すとともに可動接点４２ａを固定接点４１ａに接触させる。そして、可動接点４２ａが固定接点４１ａに接触した状態では操作ハンドル６０の左端部が右端部よりも後方に位置することになる。すなわち、操作ハンドル６０の両端部のうちで前方に位置する端部が後方へ押操作される毎に接点装置４０では固定接点４１ａと可動接点４２ａ並びに固定接点４１ｂと可動接点４２ｂの接触・開離が択一的に切り換えられることになる。
【００３６】
また、上述のようにハンドルブロック２がスイッチ本体１に取り付けられた状態では、２つの位置表示灯７１ａ，７１ｂが接点装置３０Ａと３０Ｂ及び３０Ａと３０Ｃの間にそれぞれ接続されるとともに２つの接点装置３０Ｂと３０Ｃの間に抵抗素子７２ａが挿入されているため、接点装置３０Ａと３０Ｂが固定接点４１ａ及び可動接点４２ａを介して導通している状態において照明負荷が消灯していれば接点装置３０Ａと３０Ｃの間に接続されている位置表示灯７１ｂのみが点灯し、接点装置３０Ａと３０Ｃが固定接点４１ｂ及び可動接点４２ｂを介して導通している状態において照明負荷が消灯していれば接点装置３０Ａと３０Ｂの間に接続されている位置表示灯７１ａのみが点灯することとなる。すなわち、本実施形態においては、照明負荷の消灯時において常に操作ハンドル６０（ハンドルブロック２）の両端部のうちで前方に位置する側の端部（次に操作される側の端部）に設けられている表示部９２の表示面のみから位置表示灯７１ａ又は７１ｂの光が出射されるため、操作ハンドル６０の表示位置と操作方向とを完全に一致させることができ、従来例に比較して操作性の向上が図れるものである。
【００３７】
また本実施形態では、プレート枠１０１に３個のスイッチ本体１を取り付ける場合について例示したが、図５に示すようにプレート枠１０１の両端に２個のスイッチ本体１を取り付ける場合や、図６に示すようにプレート枠１０１の中央に１個のスイッチ本体１を取り付ける場合においては、スイッチ本体１の短幅方向に沿った幅寸法をそれぞれ１．５倍および３倍に拡大した操作ハンドル６０並びにランプ保持体９０からなるハンドルブロック２と組み合わせればよい。
【００３８】
（実施形態２）
図７に示すように、本実施形態の基本構成は実施形態１と共通であり、共通の構成要素には同一の符号を付して適宜図示並びに説明を省略する。なお、形状が多少異なっていても機能が共通であれば同一の符号を付している。
【００３９】
実施形態１では２つの位置表示灯７１ａ，７１ｂがハンドルブロック２に設けられていたが、本実施形態では２つの位置表示灯７１ａ，７１ｂを含む表示灯ブロック３がスイッチ本体１に設けられている。
【００４０】
図８及び図９に示すように、表示灯ブロック３は２つの位置表示灯７１ａ，７１ｂと、抵抗素子７２と、位置表示灯７１ａ，７１ｂの一方の端子同士を接続するリード板４と、位置表示灯７１ｂの他方の端子と端子装置３０Ｃとを接続するリード板５と、位置表示灯７１ｂの一方の端子に抵抗素子７２を介して端子装置３０Ａを接続するリード板６と、位置表示灯７１ａの他方の端子と端子装置３０Ｂとを接続するリード板７と、位置表示灯７１ａ，７１ｂ、抵抗素子７２、リード板４〜７を保持する保持体８とで構成されている。リード板４，５は互いに並行に配置され、リード板５の先端には略Ｌ字形に折曲した接続片５ａが形成されている。またリード板６，７の先端にも略Ｌ字形に折曲した接続片６ａ，７ａがそれぞれ形成されている。保持体８は合成樹脂成型品からなり、平面視略コ字状であって内側に位置表示灯７１ａ，７１ｂを各々納める２つの保持部８ａ，８ａと、互いに並行して配置されリード板４，５を覆う形で２つの保持部８ａ，８ａを連結する一対の連結部８ｂ，８ｂと、連結部８ｂの両端部より後方（図８における下方）へ突出してリード板５〜７の接続片５ａ〜７ａに当接する各一対の当接片８ｃ，８ｃと、各保持部８ａの中央部より後方（図８における下方）へ突出し、カバー２０の開口窓２２の周縁部に係止する係止爪８ｅを先端に有する係止突片８ｄと、各保持部８ａの前面（図８における上面）より側方へ突出して保持部８ａに保持された位置表示灯７１ａ，７１ｂの両端部を前方から支える一対の支持片８ｆ，８ｆとが一体に形成されている。なお、位置表示灯７１ａ，７１ｂ並びに抵抗素子７２を接続した４つのリード板４〜７を保持体８にインサート成形することで表示灯ブロック３を構成している。
【００４１】
上述のように構成される表示灯ブロック３は、図７に示すように保持体８の係止突片８ｄ先端に設けられた係止爪８ｅをカバー２０の開口窓２２の周縁に係止することでカバー２０に取り付けられる。このとき、リード板５〜７の各接続片５ａ〜７ａの先端部が端子装置３０Ｃを構成する端子板４６の連結片４６ｃ、端子装置３０Ａを構成する端子板３２の連結片３２ｃ、並びに端子装置３０Ｂを構成する端子板４５の連結片４５ｃに各々前方から当接して導通する。このため、端子装置３０Ａと３０Ｂとの間に抵抗素子７２を介して一方の位置表示灯７１ａが接続され、端子装置３０Ａと３０Ｃとの間に他方の位置表示灯７１ｂが接続されるとともに、端子装置３０Ｂと３０Ｃとが接続されることとなり、実施形態１と同様に照明負荷の消灯時に何れか一方の位置表示灯７１ａ，７１ｂが択一的に点灯することになる。
【００４２】
図１０は本実施形態における反転ハンドル５０を示す斜視図である。本実施形態では表示ブロック３をスイッチ本体１に設けたことに伴って、表示灯ブロック３が反転ハンドル５０の揺動を阻害しないように、保持体８の一対の連結部８ｂ，８ｂを逃げる各一対の縦溝５８が反転ハンドル５０の揺動方向における両端部に形成してある。すなわち、一対の連結部８ｂ，８ｂがそれぞれ反転ハンドル５０の縦溝５８内に収納されるため、連結部８ｂ，８ｂと干渉することなく反転ハンドル５０をカバー２０に対して揺動させることが可能となっている。
【００４３】
一方、ハンドルブロック２は、操作ハンドル６０と、操作ハンドル６０の揺動方向における両端部に設けられる一対のプリズム１３０とで構成される。プリズム１３０は、位置表示灯７１ａ，７１ｂが発する光を集光してハンドブロック２の前方及び側方へ出射する機能を有するものであって、曲面形状の入射面を有し位置表示灯７１ａ又は７１ｂの発する光を集光する集光部１３１と、操作ハンドル６０の端部に配設されて集光部１３１で集光した光を出射する表示部１３２とが透明合成樹脂材料で一体に形成され、操作ハンドル６０の両端部を塞ぐ形で操作ハンドル６０の背面側に固着される。このように構成されるハンドルブロック２は、操作ハンドル６０の背面側に突設された係合突片６３先端の係合爪６３ａを反転ハンドル５０の結合爪５３に係合することでスイッチ本体１に取り付けられる（図７参照）。なお、本実施形態の動作は実施形態１と共通であるから説明は省略する。
【００４４】
而して、ハンドルブロック２がスイッチ本体１に取り付けられた状態では、２つの位置表示灯７１ａ，７１ｂが接点装置３０Ａと３０Ｂ及び３０Ａと３０Ｃの間にそれぞれ接続されるとともに２つの接点装置３０Ｂと３０Ｃの間に抵抗素子７２が挿入されているため、接点装置３０Ａと３０Ｂが固定接点４１ａ及び可動接点４２ａを介して導通している状態において照明負荷が消灯していれば接点装置３０Ａと３０Ｃの間に接続されている位置表示灯７１ｂのみが点灯し、接点装置３０Ａと３０Ｃが固定接点４１ｂ及び可動接点４２ｂを介して導通している状態において照明負荷が消灯していれば接点装置３０Ａと３０Ｂの間に接続されている位置表示灯７１ａのみが点灯することとなる。すなわち、本実施形態においても実施形態１と同様に、照明負荷の消灯時において常に操作ハンドル６０（ハンドルブロック２）の両端部のうちで前方に位置する側の端部（次に操作される側の端部）に設けられている表示部１３２の表示面のみから位置表示灯７１ａ又は７１ｂの光が出射されるため、操作ハンドル６０の表示位置と操作方向とを完全に一致させることができ、従来例に比較して操作性の向上が図れるものである。しかも、位置表示灯７１ａ，７１ｂをスイッチ本体１に設けているため、大きさの異なるハンドルブロック２に各々位置表示灯７１ａ，７１ｂを設ける必要がないから実施形態１に比較してコストダウンが図れるという利点がある。但し、表示部１３２と位置表示灯７１ａ，７１ｂとの距離が離れるから、表示部１３２から出射される光量に関しては実施形態１で説明したようにハンドルブロック２に位置表示灯７１ａ，７１ｂを設ける方が有利である。なお、プレート枠１０１の前面に取り付けられる化粧プレート１１０の窓孔１１１とハンドルブロック２との隙間から位置表示灯７１ａ，７１ｂの光が漏れるのを防ぐため、ハンドルブロック２の両端部（表示部１３２）と化粧プレート１１０を前後方向においてオーバラップさせることが望ましい（図７参照）。
【００４５】
（実施形態３）
本実施形態はハンドルブロック２に特徴があり、図１１に示すようにその他の構成は実施形態２と共通である。よって、実施形態２と共通の構成要素には同一の符号を付して適宜図示並びに説明を省略する。なお、形状が多少異なっていても機能が共通であれば同一の符号を付している。
【００４６】
本実施形態におけるハンドルブロック２は、平面視矩形であって後方（図１１における下方）に開口した扁平な箱状に形成された操作ハンドル６０と、表示部１３２並びに集光部１３１を有する２つのプリズム１３０，１３０とで構成される。２つのプリズム１３０は同一のものであって、透明合成樹脂材料によって表示部１３２と集光部１３１が一体に形成されている。集光部１３１は扁平な矩形状であって、一方の端部から突出する固定片１３１ａによって操作ハンドル６０の内底面に固定される。すなわち、固定片１３１ａには一対の孔が厚み方向に貫設されており、操作ハンドル６０の内底面に突設された突起６４をそれぞれ孔に挿通して先端部をかしめることで固定片１３１ａが操作ハンドル６０に固定される。表示部１３２は平面視長円形の突条からなり、その先端部の断面形状が円弧状に形成されている。操作ハンドル６０の両端部には長円形の長孔６７が前後方向に貫設されており、固定片１３１ａを操作ハンドル６０に固定する際に表示部１３２が長孔６７に挿通され、表示部１３２の先端部分が操作ハンドル６０の前面よりわずかに突出することになる。
【００４７】
而して、本実施形態では、位置表示灯７１ａ，７１ｂの発する光が集光部１３１に入射し、表示部１３２を通して操作ハンドル６０の前方へのみ出射されるから、前方だけでなく側方へも出射される実施形態１，２に比較して前方から見た表示部１３２の明るさが向上するという利点がある。
【図面の簡単な説明】
【００４８】
【図１】実施形態１の分解斜視図である。
【図２】同上を示し、（ａ）は正面図、（ｂ）は左側面図、（ｃ）は右側面図、（ｄ）は下面図である。
【図３】同上の断面図である。
【図４】同上におけるハンドルブロックの後方から見た斜視図である。
【図５】同上をプレートに２個取り付けた状態を示し、（ａ）は正面図、（ｂ）は右側面図である。
【図６】同上をプレートに１個取り付けた状態を示し、（ａ）は正面図、（ｂ）は右側面図である。
【図７】実施形態２の断面図である。
【図８】同上における表示ブロックの斜視図である。
【図９】同上における表示ブロックの一部省略した斜視図である。
【図１０】同上における反転ハンドルの斜視図である。
【図１１】実施形態３の断面図である。
【図１２】従来例の正面図である。
【符号の説明】
【００４９】
１  スイッチ本体
２  ハンドルブロック
３０Ａ，３０Ｂ，３０Ｃ  端子装置
４０  接点装置
４１ａ，４１ｂ  固定接点
４２ａ，４２ｂ  可動接点
４３  開閉素子
５０  反転ハンドル
６０  操作ハンドル
７０  回路基板
７１ａ，７１ｂ  位置表示灯
９０  ランプ保持体
９２  表示部
【図１】
2006294562.tif 000003
【図２】
2006294562.tif 000004
【図３】
2006294562.tif 000005
【図４】
2006294562.tif 000006
【図５】
2006294562.tif 000007
【図６】
2006294562.tif 000008
【図７】
2006294562.tif 000009
【図８】
2006294562.tif 000010
【図９】
2006294562.tif 000011
【図１０】
2006294562.tif 000012
【図１１】
2006294562.tif 000013
【図１２】
2006294562.tif 000014